(57)【要約】【課題】筆記状態と非筆記状態とをより簡単に切り替えることができる筆記具を提供する。【解決手段】筆記具１が、軸筒２と、軸筒２内に摺動可能に配置され且つ一端に筆記部を有する筆記体６と、消去部材３と、を有し、筆記部６ａが軸筒２の一端から突出した筆記状態と筆記部６ａが軸筒２内に没入した非筆記状態とを有し、筆記状態と非筆記状態とを切り替える操作部が筆記具の外面に設けられていない。筆記具１が、軸筒２内に筆記部用の出没機構をさらに具備し、筆記具１を軸線方向に振ることによって、筆記部用の出没機構が筆記体６の保持又は解除を行い、それによって筆記状態と非筆記状態との切り替えが行われる。【選択図】図２
2020116957.tif 000002
【特許請求の範囲】
【請求項１】
軸筒と、該軸筒内に配置された筆記体と、前記軸筒内に摺動可能に配置され且つ一端に消去部を有する消去部材と、を具備する筆記具であって、
前記消去部が前記軸筒の一端から突出した消去状態と前記消去部が前記軸筒内に没入した非消去状態とを切り替え可能に構成され、前記消去状態と前記非消去状態とを切り替える操作部が当該筆記具の外面に設けられておらず、
前記軸筒内に消去部用の出没機構をさらに具備し、前記消去部用の出没機構が前記消去部材の保持又は解除を行い、それによって前記消去状態又は前記非消去状態となり、
前記出没機構が、ボールと、前記軸筒に対して取り付けられると共に前記消去部材を収容し、前記ボールを収容する貫通孔が形成された円筒状の内筒と、を有し、
前記出没機構が、
前記軸筒の内周面と前記内筒の外周面との間に当該筆記具の軸線方向に摺動可能に配置された円筒状の外摺動部材と、
前記消去部材に取り付けられ、前記内筒内に当該筆記具の軸線方向に摺動可能に配置され、外周面に凹部を有する円筒状の内摺動部材と、をさらに有し、
前記外摺動部材の内面には、その他の部分の内径よりも小さい径の内面を有する保持部が形成され、
前記保持部の前端には環状のテーパ面が形成されていることを特徴とする筆記具。
【発明の詳細な説明】
【技術分野】
【０００１】
本発明は、筆記具に関する。
【背景技術】
【０００２】
軸筒後端部に操作部を有し、操作部を前方に押圧することによって、ペン先が軸筒の先端から突出した筆記状態とペン先が軸筒内に没入した非筆記状態とが切り替えられる、いわゆるノック式であって熱変色性インクを収容した筆記具が公知である（例えば、特許文献１）。特許文献１の筆記具は、軸筒の外面に熱変色性インクの筆跡を擦過するための摩擦部が設けられている。
【先行技術文献】
【特許文献】
【０００３】
【特許文献１】国際公開第２００８／１０５２２７号パンフレット
【発明の概要】
【発明が解決しようとする課題】
【０００４】
特許文献１に記載の筆記具では、筆記状態と非筆記状態との切り替えために、筆記具の軸筒の外周面を把持した状態から、筆記具を持ち替え、操作部を操作しなければならない。この持ち替え動作の際に筆記具を落としてしまい、筆記具を破損する虞がある。また、こうした持ち替え動作に対して煩わしさを感じる場合もある。
【０００５】
本発明は、筆記状態と非筆記状態とをより簡単に切り替えることができる筆記具を提供することを目的とする。
【課題を解決するための手段】
【０００６】
本発明の一態様によれば、軸筒と、該軸筒内に摺動可能に配置され且つ一端に筆記部を有する筆記体と、消去部材と、を具備する筆記具であって、前記筆記部が前記軸筒の一端から突出した筆記状態と前記筆記部が軸筒内に没入した非筆記状態とを有し、前記筆記状態と前記非筆記状態とを切り替える操作部が当該筆記具の外面に設けられていないことを特徴とする筆記具が提供される。
【０００７】
また、別の態様によれば、前記軸筒内に筆記部用の出没機構をさらに具備し、当該筆記具を軸線方向に振ることによって、前記筆記部用の出没機構が前記筆記体の保持又は解除を行い、それによって前記筆記状態と前記非筆記状態との切り替えが行われることを特徴とする筆記具が提供される。
【０００８】
また、別の態様によれば、前記消去部材が前記軸筒内に摺動可能に配置され且つ一端に消去部を有し、前記消去部が前記軸筒の他端から突出した消去状態と前記消去部が前記軸筒内に没入した非消去状態とを有し、前記消去状態と前記非消去状態とを切り替える操作部が当該筆記具の外面に設けられておらず、前記軸筒内に消去部用の出没機構をさらに具備し、当該筆記具を軸線方向に振ることによって、前記消去部用の出没機構が前記消去部材の保持又は解除を行い、それによって前記消去状態と前記非消去状態との切り替えが行われることを特徴とする筆記具が提供される。
【０００９】
また、別の態様によれば、前記出没機構が、ボールと、前記軸筒に対して取り付けられると共に前記筆記体又は前記消去部材を収容し、前記ボールを収容する貫通孔が側面に形成された円筒状の内筒と、前記軸筒の内周面と前記内筒の外周面との間に当該筆記具の軸線方向に摺動可能に配置され、解除部と該解除部よりも内径の小さい保持部とが軸線方向に配置された円筒状の外摺動部材と、前記筆記体又は前記消去部材に取り付けられ、前記内筒内に当該筆記具の軸線方向に摺動可能に配置され、外周面に凹部を有する円筒状の内摺動部材と、を有し、当該筆記具を軸線方向に振ることによって、前記内摺動部材が摺動して前記ボールが前記凹部に収容されて、前記外摺動部材が摺動して前記保持部と該ボールとが径方向に整列して前記ボールと共に前記内摺動部材を係止し、次いで、当該筆記具を軸線方向に振ることによって、前記外摺動部材が摺動して前記解除部と該ボールとが径方向に整列して前記ボールと共に前記内摺動部材を係止解除し、前記内摺動部材が摺動して前記ボールが前記凹部から外れることを特徴とする筆記具が提供される。
【発明の効果】
【００１０】
各態様によれば、筆記状態と非筆記状態とをより簡単に切り替えることができるという共通の効果を奏する。
【図面の簡単な説明】
【００１１】
【図１】本発明の第１実施形態による筆記具の筆記状態の正面図である。
【図２】図１の線Ａ−Ａにおける縦断面図である。
【図３】図１の筆記具の非筆記状態の縦断面図である。
【図４】図１の筆記具の内筒の斜視図である。
【図５】図４の内筒の縦断面図である。
【図６】図１の筆記具の外摺動部材の斜視図である。
【図７】図６の外摺動部材の縦断面図である。
【図８】図１の筆記具の内摺動部材の斜視図である。
【図９】図８の内摺動部材の縦断面図である。
【図１０】図１の筆記具の解除部材の斜視図である。
【図１１】図１０の解除部材の縦断面図である。
【図１２】図１の筆記具の非筆記状態から筆記状態への遷移を説明する縦断面図である。
【図１３】図１の筆記具の筆記状態から非筆記状態への遷移を説明する縦断面図である。
【図１４】本発明の第２実施形態による筆記具の消去状態の正面図である。
【図１５】図１４の線Ｂ−Ｂにおける縦断面図である。
【図１６】図１４の筆記具の非消去状態の縦断面図である。
【図１７】本発明の第３実施形態による筆記具の筆記状態の正面図である。
【図１８】図１７の線Ｃ−Ｃにおける縦断面図である。
【図１９】図１７の筆記具の非筆記状態の縦断面図である。
【図２０】図１７の筆記具の内筒の斜視図である。
【図２１】図２０の内筒の縦断面図である。
【図２２】図１７の筆記具の外摺動部材の斜視図である。
【図２３】図２２の外摺動部材の縦断面図である。
【図２４】図１７の筆記具の内摺動部材の斜視図である。
【図２５】図２４の内摺動部材の縦断面図である。
【発明を実施するための形態】
【００１２】
以下、図面を参照しながら本発明の実施の形態を詳細に説明する。全図面に渡り、対応する構成要素には共通の参照符号を付す。
【００１３】
図１は、本発明の第１実施形態による筆記具１の筆記状態の正面図であり、図２は、図１の線Ａ−Ａにおける縦断面図であり、図３は、図１の筆記具１の非筆記状態の縦断面図である。
【００１４】
筆記具１は、軸筒２と、消去部材３とを有している。軸筒２は、筒状の先軸４と、先軸４の後端部にその前端部が螺合する筒状の後軸５とを有している。先軸４の先端には、軸筒２内に収容された筆記体であるリフィル６の筆記部６ａを突出させるための孔４ａが形成されている。
【００１５】
本明細書中では、筆記具１の軸線方向において、筆記部６ａ側を「前」側と規定し、筆記部６ａとは反対側を「後」側と規定する。また、「中心軸線」とは、筆記具１の中心軸線を意味する。さらに、筆記具１は、後述する出没機構によって、軸筒２内でリフィル６が前後方向に摺動する。このとき、筆記部６ａが軸筒２、すなわち先軸４の孔４ａから突出した状態を筆記状態（図２）と称し、筆記部６ａが軸筒２内に没入した状態を非筆記状態（図３）と称す。
【００１６】
後軸５の後端部には、後壁部５ａが形成されており、その中央には円形の取付開口５ｂが形成されている。また、後軸５の後壁部５ａ近傍の内壁よりも前方の内壁は、より内径が大きく形成され、従って、それらの境界部分には段部５ｃが形成されている。先軸４及び後軸５は、例えばポリカーボネート樹脂といった樹脂材料から形成される。
【００１７】
リフィル６として、熱変色インクを収容したボールペン、熱変色芯を収容したシャープペンシル、消しゴム消去性インクを収容したサインペン、鉛筆ホルダー等を使用することができる。
【００１８】
本実施形態におけるリフィル６は、熱変色性インクを収容する。熱変色性インクとは、常温（例えば２５℃）で所定の色彩（第１色）を維持し、所定温度（例えば６０℃）まで昇温させると別の色彩（第２色）へと変化し、その後、所定温度（例えば−５℃）まで冷却させると、再び元の色彩（第１色）へと復帰する性質を有するインクを言う。熱変色性インクを用いた筆記具１では上記第２色を無色とし、第１色（例えば赤）で筆記した描線を昇温させて無色とすることを、ここでは「消去する」ということとする。従って、描線が筆記された紙面等に対して摩擦体としての消去部材３によって擦過して摩擦熱を生じさせ、それによって描線を無色に変化、すなわち消去させる。なお、当然のことながら上記第２色は、無色以外の有色でも良い。
【００１９】
なお、本発明における「消去」とは、上記熱変色性インクを用いた場合以外にも、筆記した描線、文字等を消しゴム等の消去部材で吸着又は削ぎ落とすことをいう。従って、本発明は、筆記した描線を、消去部材を用いて消去する任意の筆記具にも適用可能である。
【００２０】
消去部材３は、全体として円柱状に形成されている。消去部材３の一端は、平坦に形成され、その中央には取付突起３ａが形成されている。取付突起３ａは、後軸５の後壁部５ａに形成された取付開口５ｂ内に圧入等によって取り付けられている。消去部材３の他端には、凸曲面上の消去部３ｂが形成されている。さらに、消去部材３の中心軸線に沿って、消去部材３を貫通する通気孔３ｃが形成されている。消去部材３に通気孔３ｃが形成されていることによって、軸筒２の内部と外部とが連通している。なお、消去部材３の形状は、特に限定されるものではなく、例えば、三角柱状、直方体、表面に凹凸や突起を有する複雑な形状としても良い。
【００２１】
摩擦体としての消去部材３を形成する材料として、シリコーンゴム、ニトリルゴム、エチレンプロピレンゴム、エチレンプロピレンジエンゴム等のゴム材質やスチレン系エラストマー、オレフィン系エラストマー、ポリエステル系エラストマー等の熱可塑性エラストマーといったゴム弾性材料、２種以上のゴム弾性材料の混合物、及び、ゴム弾性材料と合成樹脂との混合物、市販されている消しゴム等が挙げられる。
【００２２】
軸筒２内、特に後軸５内には、出没機構が配置されている。出没機構は、内筒７と、外摺動部材８と、内摺動部材９と、ボール１０と、解除部材１１と、コイルスプリング１３とを有している。
【００２３】
図４は、図１の筆記具１の内筒７の斜視図であり、図５は、図４の内筒７の縦断面図である。内筒７は、円筒状の内筒本体７ａと、大径フランジ部７ｂと、小径フランジ部７ｃとを有している。大径フランジ部７ｂは、内筒本体７ａの前端部に形成され、内筒本体７ａよりも大きな径を有する環状の突起である。小径フランジ部７ｃは、大径フランジ部７ｂの後方に形成され、内筒本体７ａの径よりも大きく且つ大径フランジ部７ｂの径よりも小さい径を有する環状の突起である。内筒本体７ａの側面には、貫通孔７ｄが形成されている。内筒７の大径フランジ部７ｂの内面には、その他の部分の内径よりも小さい径の内面を有する小径部７ｅが形成されている。内筒７は、例えばポリカーボネート樹脂といった樹脂材料等から形成される。
【００２４】
図６は、図１の筆記具１の外摺動部材８の斜視図であり、図７は、図６の外摺動部材８の縦断面図である。外摺動部材８は全体として円筒状の部材であり、外摺動部材８の外径は後軸５の内径よりも小さい。外摺動部材８の軸線方向の中央部分の内面には、その他の部分の内径よりも小さい径の内面を有する保持部である厚肉部８ａが形成されている。すなわち、厚肉部８ａ以外のその他の部分は、解除部である薄肉部８ｂを構成する。外摺動部材８の厚肉部８ａの内径は、内筒７の内筒本体７ａの外径よりも大きく、且つ、内筒７の小径フランジ部７ｃの外径よりも小さい。外摺動部材８の厚肉部８ａの前端及び後端には、外摺動部材８の薄肉部８ｂの内面に連続的に接続する斜面であるテーパ面８ｃが、環状に形成されている。外摺動部材８は、例えばステンレス鋼等の金属材料から形成されることが好ましいが、樹脂材料や、金属粉を混合させた樹脂材料から形成しても良い。
【００２５】
図８は、図１の筆記具１の内摺動部材９の斜視図であり、図９は、図８の内摺動部材９の縦断面図である。内摺動部材９は、円筒部９ａと錘部９ｂとを有する全体として円筒状の部材である。すなわち、内摺動部材９の後端部分は、中実に形成され、錘部９ｂを構成し、錘部９ｂより前方の部分は、円筒状の円筒部９ａである。内摺動部材９の外径は、内筒７の小径部７ｅの内径よりも大きく、内筒７のその他の部分の内径よりも小さい。円筒部９ａと錘部９ｂとの境界近傍の錘部９ｂの外周面には、環状の凹部９ｃが形成されている。内摺動部材９は、例えば比重のあるステンレス鋼等の金属材料から形成されることが好ましいが、樹脂材料や、金属粉を混合させた樹脂材料、エラストマー等のゴム弾性材料から形成しても良い。
【００２６】
図１０は、図１の筆記具１の解除部材１１の斜視図であり、図１１は、図１０の解除部材１１の縦断面図である。解除部材１１は、円筒状の解除部材本体１１ａと、フランジ部１１ｂとを有している。フランジ部１１ｂは、解除部材本体１１ａの前端部に形成され、解除部材本体１１ａよりも大きな径を有する環状の突起である。フランジ部１１ｂの外径は、後軸５の内径よりも小さい。解除部材本体１１ａの内面には、その他の部分の内径よりも小さい径の内面を有する小径部１１ｃが形成されている。解除部材本体１１ａの小径部１１ｃの内径は、内筒７の内筒本体７ａの外径よりも大きく、且つ、内筒７の小径フランジ部７ｃの外径よりも小さい。解除部材本体１１ａの小径部１１ｃ以外のその他の部分の内径は、内筒７の小径フランジ部７ｃの外径よりも大きい。解除部材本体１１ａの小径部１１ｃの前端及び後端には、解除部材本体１１ａのその他の部分の内面に連続的に接続する斜面であるテーパ面１１ｄが、環状に形成されている。解除部材１１は、例えばステンレス鋼等の金属材料から形成されることが好ましいが、樹脂材料や、金属粉を混合させた樹脂材料から形成しても良い。
【００２７】
ボール１０は、内筒７の貫通孔７ｄに収容可能な大きさの球形に形成され、例えばステンレス鋼等の金属材料から形成されることが好ましいが、樹脂材料や、金属粉を混合させた樹脂材料から形成しても良い。
【００２８】
図２又は図３を参照すると、内筒７の後方から、内筒７の内筒本体７ａの外側に対して、コイルスプリング１３、解除部材１１、ボール１０及び外摺動部材８の順に、取り付けられる。また、内筒７の後方から、内筒７の内側に対して、内摺動部材９が取り付けられる。この状態で、出没機構を、後軸５内に前方から挿入すると、内筒７の後端面が後軸５の後壁部５ａに当接すると共に内筒７の大径フランジ部７ｂと後軸５の内面とが圧入によって固定される。ボール１０は、内筒７の貫通孔７ｄ内に収容された状態で、外摺動部材８と内摺動部材９との間に常に配置されている。
【００２９】
従って、後軸５の内周面と内筒７の外周面との間に、解除部材１１、ボール１０及び外摺動部材８が摺動可能に配置され、内筒７内に、内摺動部材９が摺動可能に配置される。解除部材１１の摺動は、コイルスプリング１３の弾発力によって前方への摺動が規制され、外摺動部材８の前端面によって後方への摺動が規制される。コイルスプリング１３の前端は、内筒７の大径フランジ部７ｂの後端面によって支持される。外摺動部材８の摺動は、解除部材１１の後端面によって前方への摺動が規制され、後軸５の段部５ｃによって後方への摺動が規制される。内摺動部材９の摺動は、内筒７の小径部７ｅの後端面によって前方への移動が規制され、後軸５の後壁部５ａによって後方への摺動が規制される。
【００３０】
リフィル６は、円筒状のガイド管１２内に摺動可能に挿入される。ガイド管１２の後端部は、内筒７の前端部に対して圧入によって取り付けられる。すなわち、ガイド管１２は、ガイド管１２の後端面が内筒７の小径部７ｅの前端面に当接するまで内筒７内に挿入される。また、リフィル６は、先軸４内に配置されたコイルスプリング１４によって後方へ付勢されている。
【００３１】
図１２は、図１の筆記具１の非筆記状態から筆記状態への遷移を説明する縦断面図である。図１２の（ａ）は、筆記具１の非筆記状態のときの出没機構を示している。内筒７の貫通孔７ｄ内に収容されたボール１０は、外摺動部材８の薄肉部８ｂと内摺動部材９の凹部９ｃ以外の外周面との間に配置されている。この状態で、筆記具１を軸線方向前方に移動させて、この移動を瞬間的に停止させると、筆記具１内部の出没機構は、前方向の慣性力を受ける。筆記具１の移動と瞬間的な停止は、例えば、使用者が筆記する際に筆記具１を把持しながら軸線方向に振る動作によって行われる。
【００３２】
前方向の慣性力を受けた出没機構は、内摺動部材９がリフィル６と共に内筒７内を前方へ向かって摺動する。その結果、ボール１０が内摺動部材９の凹部９ｃ内へ嵌合する。次いで、外摺動部材８が、後軸５と内筒７との間を前方へ向かって摺動して、テーパ面８ｃがボール１０に対して当接する。（図１２（ｂ））。
【００３３】
次いで、外摺動部材８は慣性力によってそのまま摺動を継続し、テーパ面８ｃによって案内されることによってボール１０を乗り越え、厚肉部８ａによってボール１０と共に内摺動部材９を係止する（図１２（ｃ））。すなわち、外摺動部材８の厚肉部８ａとボール１０とが径方向に整列してボール１０と共に内摺動部材９を係止する。このとき、リフィル６の先端の筆記部６ａが先軸４の先端の孔４ａから突出した状態で、リフィル６が出没機構によって保持されることから、筆記具１は筆記状態となっている。この状態で筆記を行うと、筆圧によって、内摺動部材９が後方へ摺動する方向、すなわち外摺動部材８の厚肉部８ａがボール１０と及び内摺動部材９に係止する方向に力が作用するため、筆記状態が解除されることはない。
【００３４】
図１３は、図１の筆記具１の筆記状態から非筆記状態への遷移を説明する縦断面図である。図１３の（ａ）は、筆記具１の筆記状態のときの出没機構を示している。すなわち、図１３の（ａ）は、図１２（ｃ）と略同一の状態を示している。この状態で、筆記具１を軸線方向前方に移動させて、この移動を瞬間的に停止させると、筆記具１内部の出没機構は、前方向の慣性力を受ける。筆記具１の移動と瞬間的な停止は、例えば、使用者が筆記する際に筆記具１を把持しながら軸線方向に振る動作によって行われる。また、筆記具１を停止状態から軸線方向前方へ移動させる瞬間、すなわち使用者が筆記具１を振る瞬間は、筆記具１内部の出没機構は、後方向の慣性力を受ける。
【００３５】
筆記状態の筆記具１において、外摺動部材８及び内摺動部材９は、ボール１０と共に係止しているが、解除部材１１は、摺動可能な状態にある。このため、出没機構が前方向の慣性力を受けると、解除部材１１が前方へ向かって摺動し、コイルスプリング１３によって弾発し、運動方向が後方へ転換する。すなわち、解除部材１１は後方へ向かって摺動し、その後端面が、外摺動部材８の前端面に衝突する。それによって、外摺動部材８は後方へ摺動し、厚肉部８ａによる内摺動部材９及びボール１０との係止が解除される（図１３（ｂ））。すなわち、薄肉部８ｂとボール１０とが径方向に整列して、ボール１０が内摺動部材９の凹部９ｃから外れ、出没機構によるリフィル６の保持が解除される。
【００３６】
その結果、先軸４内に配置されたコイルスプリング１４の付勢力によって内摺動部材９が後方へ向かって摺動する（図１３（ｃ））。従って、リフィル６の先端の筆記部６ａは、先軸４の先端の孔４ａから軸筒２内に没入し、筆記具１は非筆記状態となる。
【００３７】
なお、出没機構が後方向の慣性力を受けることによって、外摺動部材８が後方へ向かって摺動し、内摺動部材９及びボール１０との係止が解除されるようにしても良い。この場合、解除部材１１は省略できる。
【００３８】
また、内摺動部材９の錘部９ｂの重さや位置及びバランスを調整することによって、筆記具１全体の重心を、筆記具１を把持して筆記するのに最も適した位置に調整することができる。
【００３９】
本発明によれば、単に筆記具１を軸線方向に振ることによって、筆記具１の筆記状態と非筆記状態とを簡単に切り替えることができる。また、筆記具１を軸線方向に振ることによってこれらの切り替えを行うことから、筆記具１の軸筒２の外周面を把持した状態から、筆記具を持ち替える必要はなく、それによる煩わしさや筆記具を落とす危険性もない。また、筆記具１を軸線方向に振ることによってこれらの切り替えを行うことから、筆記具１の外面に対してノック棒のような操作部又は操作機構を設ける必要がなく、筆記具の外観を自由にデザインすることができる。
【００４０】
図１４は、本発明の第２実施形態による筆記具１００の消去状態の正面図であり、図１５は、図１４の線Ｂ−Ｂにおける縦断面図であり、図１６は、図１４の筆記具１００の非消去状態の縦断面図である。
【００４１】
筆記具１００は、両端から同一又は異なる筆記部等を突出可能な、いわゆる両頭式の筆記具である。すなわち、筆記具１００は、第１筆記具１０１と第２筆記具１０２とからなり、それぞれ中央部分で連結しているか又は一体として形成される。
【００４２】
第１筆記具１０１は、第１軸筒１１０を有している。第１軸筒１１０は、筒状の第１筒状部材１１１と、第１筒状部材１１１の一端にその一端が螺合する筒状の第２筒状部材１１２とを有している。第２筆記具１０２は、第２軸筒１２０を有している。第２軸筒１２０は、筒状の第１筒状部材１２１と、第１筒状部材１２１の一端にその一端が螺合する筒状の第２筒状部材１２２とを有している。
【００４３】
第１筆記具１０１の第１軸筒１１０内には、第１実施形態の筆記体であるリフィル６が上述した出没機構と共に収容される。従って、図１２及び図１３を参照しながら説明した原理によって、第１筆記具１０１の筆記状態と非筆記状態とを切り替えることができる。
【００４４】
第２筆記具１０２の第２軸筒１２０内には、第１実施形態の筆記体であるリフィル６と同一形状の消去部材１０３が上述した出没機構と共に収容される。従って、図１２及び図１３を参照しながら説明した原理によって、第２筆記具１０２消去状態と非消去状態とを切り替えることができる。すなわち、消去部材１０３の先端の消去部１０３ａが第１筒状部材１２１から突出した状態を消去状態（図１５）と称し、消去部材１０３の先端の消去部１０３ａが第１筒状部材１２１内に没入した状態を非消去状態（図１６）と称する。
【００４５】
なお、第１筆記具１０１又は第２筆記具１０２を単体として着目した場合には、基本的構成、すなわち出没機構は、それぞれ第１実施形態の筆記具１と同一である。すなわち、第１筆記具１０１は、第１実施形態と同一の筆記部用の出没機構を有し、第２筆記具１０２は、消去部用の出没機構を有している。従って、各出没機構の各構成の説明は省略する。
【００４６】
図１７は、本発明の第３実施形態による筆記具２００の筆記状態の正面図であり、図１８は、図１７の線Ｃ−Ｃにおける縦断面図であり、図１９は、図１７の筆記具２００の非筆記状態の縦断面図である。
【００４７】
筆記具２００は、軸筒２０２と、消去部材２０３とを有している。軸筒２０２は、筒状の先軸２０４と、先軸２０４の後端部にその前端部が螺合する筒状の後軸２０５とを有している。先軸２０４の先端には、軸筒２０２内に収容された筆記体であるリフィル２０６の筆記部２０６ａを突出させるための孔２０４ａが形成されている。
【００４８】
本明細書中では、上述した実施形態と同様に、筆記具２００の軸線方向において、筆記部２０６ａ側を「前」側と規定し、筆記部２０６ａとは反対側を「後」側と規定する。また、「中心軸線」とは、筆記具２００の中心軸線を意味する。さらに、筆記具２００は、後述する出没機構によって、軸筒２０２内でリフィル２０６が前後方向に摺動する。このとき、筆記部２０６ａが軸筒２０２、すなわち先軸２０４の孔２０４ａから突出した状態を筆記状態（図１８）と称し、筆記部２０６ａが軸筒２０２内に没入した状態を非筆記状態（図１９）と称す。
【００４９】
後軸２０５の後端部には、後壁部２０５ａが形成されており、その中央には後方へ突出する円柱の突出部２０５ｄが形成されている。また、後軸２０５の後壁部２０５ａ近傍の内壁よりも前方の内壁は、より内径が大きく形成され、従って、それらの境界部分には段部２０５ｃが形成されている。先軸２０４及び後軸２０５は、例えばポリカーボネート樹脂といった樹脂材料から形成される。
【００５０】
消去部材２０３は、全体として円筒状に形成されている。また、消去部材２０３の中心軸線に沿って、消去部材２０３を貫通する貫通孔２０３ｃが形成されている。消去部材２０３の一端は、平坦に形成され、その近傍の貫通孔２０３ｃの内壁には、取付段部２０３ｄが形成されている。消去部材２０３は、後軸２０５の後壁部２０５ａに形成された突出部２０５ｄに圧入等によって取り付けられている。その結果、消去部材２０３の取付段部２０３ｄと後軸２０５の突出部２０５ｄとが係止することによって、消去部材２０３の抜けが防止される。消去部材２０３の他端には、凸曲面上の消去部２０３ｂが形成されている。なお、消去部材２０３の形状は、特に限定されるものではなく、例えば、三角柱状、直方体、表面に凹凸や突起を有する複雑な形状としても良い。
【００５１】
軸筒２０２内、特に後軸２０５内には、出没機構が配置されている。出没機構は、内筒２０７と、外摺動部材２０８と、内摺動部材２０９と、ボール１０と、コイルスプリング２１３と、重量体２１５とを有している。
【００５２】
図２０は、図１７の筆記具２００の内筒２０７の斜視図であり、図２１は、図２０の内筒２０７の縦断面図である。内筒２０７は、円筒状の内筒本体２０７ａと、大径フランジ部２０７ｂと、中径フランジ部２０７ｆと、小径フランジ部２０７ｃとを有している。大径フランジ部２０７ｂは、内筒本体２０７ａの前端部に形成され、内筒本体２０７ａよりも大きな径を有する環状の突起である。中径フランジ部２０７ｆは、大径フランジ部２０７ｂの後方に形成され、大径フランジ部２０７ｂの径よりも小さい径を有する環状の突起である。小径フランジ部２０７ｃは、中径フランジ部２０７ｆの後方に形成され、内筒本体２０７ａの径よりも大きく且つ中径フランジ部２０７ｆの径よりも小さい径を有する環状の突起である。内筒本体２０７ａの側面には、ボール１０が挿入可能な貫通孔２０７ｄが３箇所径方向に対して均等に形成されている。内筒２０７の前端部の内面には、大径部２０７ｇが形成され、その後方には、大径部２０７ｇよりも小さい内径を有する小径部２０７ｈが形成されている。内筒２０７は、例えばポリカーボネート樹脂といった樹脂材料等から形成される。
【００５３】
図２２は、図１７の筆記具２００の外摺動部材２０８の斜視図であり、図２３は、図２２の外摺動部材２０８の縦断面図である。外摺動部材２０８は全体として円筒状の部材であり、外摺動部材２０８の外径は後軸２０５の内径よりも小さい。外摺動部材２０８の後端部の内面には、保持部である厚肉部２０８ａが形成されている。厚肉部２０８ａの前方の部分、すなわち前端部の内面は、前端から後方に向かって内径が小さくなり且つ厚肉部２０８ａの前端に連続的に接続する斜面であるテーパ面２０８ｃが、環状に形成されている。テーパ面２０８ｃは、解除部である。外摺動部材２０８の厚肉部２０８ａの内径は、内筒２０７の内筒本体２０７ａの外径よりも大きく、且つ、内筒２０７の小径フランジ部２０７ｃの外径よりも小さい。外摺動部材２０８は、例えばステンレス鋼等の金属材料から形成されることが好ましいが、樹脂材料や、金属粉を混合させた樹脂材料から形成しても良い。
【００５４】
図２４は、図１７の筆記具２００の内摺動部材２０９の斜視図であり、図２５は、図２４の内摺動部材２０９の縦断面図である。内摺動部材２０９は、全体として円筒状の部材である内摺動部材本体２０９ａを有する。内摺動部材本体２０９ａの後端部には、環状の突起である第１フランジ部２０９ｂが形成され、内摺動部材本体２０９ａの後端と前端との間には、環状の突起である第２フランジ部２０９ｃが形成されている。内摺動部材２０９の内摺動部材本体２０９ａの外径は、内筒２０７の小径部２０７ｈの内径よりも小さい。第１フランジ部２０９ｂ及び第２フランジ部２０９ｃの外径は、内筒２０７の小径部２０７ｈの内径よりも大きい。第１フランジ部２０９ｂと第２フランジ部２０９ｃとの間の内摺動部材本体２０９ａの外周面には、環状の凹部２０９ｄが形成されている。
【００５５】
内摺動部材本体２０９ａの前端部には、軸線方向に延びる複数のリブ２０９ｅが形成されている。リフィル２０６の後端内に、内摺動部材本体２０９ａの前端が挿入されると、複数のリブ２０９ｅによって圧入嵌合がなされる。この状態で、リフィル２０６の後端面は、第２フランジ部２０９ｃの前端面に当接するが、第２フランジ部２０９ｃに通気孔２０９ｆが形成されていることによって、リフィル２０６内と軸筒２０２内とが連通する。内摺動部材２０９は、例えば比重のあるステンレス鋼等の金属材料から形成されることが好ましいが、樹脂材料や、金属粉を混合させた樹脂材料、エラストマー等のゴム弾性材料から形成しても良い。
【００５６】
図１８又は図１９を参照すると、内摺動部材２０９の内摺動部材本体２０９ａの外側に対して、内筒２０７、コイルスプリング２１３、外摺動部材２０８の順に、取り付けられる。また、内摺動部材２０９の後端部に対して、重量体２１５が取り付けられる。この状態で、出没機構を、後軸２０５内に前方から挿入すると、内筒２０７の大径フランジ部２０７ｂと後軸２０５の内面とが圧入によって固定される。ボール１０は、内筒７の貫通孔２０７ｄ内に収容された状態で、外摺動部材２０８と内摺動部材２０９との間に常に配置されている。
【００５７】
従って、後軸２０５の内周面との内筒２０７の外周面との間に、ボール１０及び外摺動部材２０８が摺動可能に配置され、内筒２０７内に、内摺動部材２０９が摺動可能に配置される。内摺動部材２０９の摺動は、コイルスプリング２１３の弾発力によって前方への摺動が規制され、重量体２１５を介して後軸２０５の後壁部２０５ａによって後方への摺動が規制される。コイルスプリング２１３の前端は、内筒２０７の後端面によって支持され、コイルスプリング２１３の後端は、第１フランジ部２０９ｂの前端面によって支持される。外摺動部材２０８の摺動は、内筒２０７の小径フランジ部２０７ｃの後端面によって前方への摺動が規制され、後軸２０５の段部２０５ｃによって後方への摺動が規制される。
【００５８】
筆記状態の筆記具２００において、外摺動部材２０８及び内摺動部材２０９は、ボール１０と共に係止している。出没機構が後方向の慣性力を受けると、外摺動部材２０８は後方へ向かって摺動し、その後端面が、後軸５の段部５ｃに衝突する。外摺動部材２０８の厚肉部２０８ａによる内摺動部材２０９及びボール１０との係止が解除される。すなわち、外摺動部材２０８のテーパ面２０８ｃとボール１０とが径方向に整列して、ボール１０が内摺動部材２０９の凹部２０９ｄから外れ、出没機構によるリフィル２０６の保持が解除される。
【００５９】
その結果、内摺動部材２０９の外径に配置されたコイルスプリング２１３の付勢力によって、リフィル２０６と圧入嵌合により一体となった内摺動部材２０９が後方へ向かって摺動する。従って、リフィル２０６の先端の筆記部２０６ａは、先軸２０４の先端の孔２０４ａから軸筒２０２内に没入し、筆記具２００は非筆記状態となる。
【００６０】
本発明の第２実施形態による筆記具１００及び第３実施形態による筆記具２００によれば、上述した第１実施形態の筆記部１と同様の効果を奏する。また、特に、第２実施形態による筆記具１００を振ることによって、第１筆記具１０１の筆記状態と非筆記状態とを切り替えると同時に、第２筆記具１０２消去状態と非消去状態と切り替えることができる。また、振り方を変化させたり、各部材の重量や重心等を調整したりすることによって、第１筆記具１０１及び第２筆記具１０２の出没機構を独立的に操作できるようにしても良い。
【符号の説明】
【００６１】
１    筆記具
２    軸筒
３    消去部材
４    先軸
５    後軸
６    リフィル
６ａ    筆記部
７    内筒
８    外摺動部材
９    内摺動部材
１０    ボール
１１    解除部材
１２    ガイド管
１３    コイルスプリング
１４    コイルスプリング
【図１】
2020116957.tif 000003
【図２】
2020116957.tif 000004
【図３】
2020116957.tif 000005
【図４】
2020116957.tif 000006
【図５】
2020116957.tif 000007
【図６】
2020116957.tif 000008
【図７】
2020116957.tif 000009
【図８】
2020116957.tif 000010
【図９】
2020116957.tif 000011
【図１０】
2020116957.tif 000012
【図１１】
2020116957.tif 000013
【図１２】
2020116957.tif 000014
【図１３】
2020116957.tif 000015
【図１４】
2020116957.tif 000016
【図１５】
2020116957.tif 000017
【図１６】
2020116957.tif 000018
【図１７】
2020116957.tif 000019
【図１８】
2020116957.tif 000020
【図１９】
2020116957.tif 000021
【図２０】
2020116957.tif 000022
【図２１】
2020116957.tif 000023
【図２２】
2020116957.tif 000024
【図２３】
2020116957.tif 000025
【図２４】
2020116957.tif 000026
【図２５】
2020116957.tif 000027
【手続補正書】
【提出日】令和2年5月14日(2020.5.14)
【手続補正１】
【補正対象書類名】特許請求の範囲
【補正対象項目名】全文
【補正方法】変更
【補正の内容】
【特許請求の範囲】
【請求項１】
軸筒と、該軸筒内に配置された筆記体と、前記軸筒内に摺動可能に配置され且つ一端に消しゴムと、を具備する筆記具であって、
前記消しゴムが前記軸筒の一端から突出した消去状態と前記消しゴムが前記軸筒内に没入した非消去状態とを切り替え可能に構成され、前記消去状態と前記非消去状態とを切り替える操作部が当該筆記具の外面に設けられておらず、
前記軸筒内に消しゴム用の出没機構をさらに具備し、前記消しゴム用の出没機構が前記消しゴムの保持又は解除を行い、それによって前記消去状態又は前記非消去状態となり、
前記出没機構が、ボールと、前記軸筒に対して取り付けられると共に前記消しゴムを収容し、前記ボールを収容する貫通孔が形成された円筒状の内筒と、を有し、
前記出没機構が、
前記軸筒の内周面と前記内筒の外周面との間に当該筆記具の軸線方向に摺動可能に配置された円筒状の外摺動部材と、
前記消しゴムに取り付けられ、前記内筒内に当該筆記具の軸線方向に摺動可能に配置され、外周面に凹部を有する円筒状の内摺動部材と、をさらに有し、
前記外摺動部材の内面には、その他の部分の内径よりも小さい径の内面を有する保持部が形成され、
前記内摺動部材が前方へ摺動すると、前記ボールが前記凹部に収容され、前記外摺動部材が前方へ摺動して前記保持部と該ボールとが径方向に整列して前記ボールと共に前記内摺動部材を係止し、
次いで、前記外摺動部材が後方へ摺動すると、前記ボールと共に前記内摺動部材を係止解除し、前記内摺動部材が後方へ摺動して前記ボールが前記凹部から外れることを特徴とする筆記具。